(57)【特許請求の範囲】
【請求項１】
靴のためのセンタクロージャであって、靴を閉鎖するための少なくとも１つのロープ状緊締部材のための、回転可能に支承されたロープディスクを有しており、該ロープディスクが、伝動装置を介して操作部材に連結されていて、該操作部材を介して駆動可能であって、ロープディスクの回転数が、ストッパによって制限されている形式のものにおいて、
ロープディスク（３）と不動部分（１若しくは41）とが、互いに同軸的に配置されていて互いに作用結合している歯列（41a,42a若しくは41b,42b）を有していて、該歯列（41a,42a若しくは41b,42b）は互いに等しいモジュールであるが、異なる直径を有しており、前記歯列（41a,42a若しくは41b,42b）の異なる直径によって規定された中間室（49）内に、前記両歯列（41a,42a若しくは41b,42b）に噛合し、該両歯列（41a,42a若しくは41b,42b）と等しいモジュールを有する歯車（43）が、自由回転するように配置されており、前記中間室（49）には、自由回転する歯車（43）の走行経路を制限する少なくとも１つのストッパ（46,46′若しくは47）が設けられていて、この場合、歯車（43）の運動を制限するためのストッパ（46,46′もしくは47）は、操作部材（33）の操作時に歯車（43）が進む経路に配置されていることを特徴とする、靴のためのセンタクロージャ。
【請求項２】
単数の若しくは複数のストッパ（46,46′）が、単数の若しくは複数の嵌込み部品から成っている、請求項１記載のセンタクロージャ。
【請求項３】
不動部分（ケーシング部分１）の歯列（42a）若しくは可動部分（ロープディスク３）の歯列（42b）が、少なくとも所定の１区分（48）において全く歯溝を有していないか、又はストッパ（46,46′）の形成に基づき、完全には形成されていない歯溝を有している、請求項１又は２記載のセンタクロージャ。
【請求項４】
ロープディスク（３）に配属された歯列（41a,42b）が、前記ロープディスク（３）と一緒に１つの構成ユニットを形成している、請求項１から３までのいずれか１項記載のセンタクロージャ。
【請求項５】
歯列（41a,42b）とロープディスク（３）とが、同質の構成部材、特にプラスチック射出成形部品から成っている、請求項４記載のセンタクロージャ。
【請求項６】
不動部分（ケーシング部分１）の歯列（42a）が、可動部分（ロープディスク３）の歯列（41a）よりも大きな直径を有している、請求項１記載のセンタクロージャ。
【請求項７】
可動部分（ロープディスク３）の歯列（42b）が、不動部分（41）の歯列（41b）よりも大きな直径を有している、請求項１記載のセンタクロージャ。
【発明の詳細な説明】
本発明は、請求項１の上位概念に記載の形式の、靴のためのセンタクロージャに関する。
回転式クロージャとして形成されたこのような形式のセンタクロージャは、ヨーロッパ特許第0393380号明細書から公知である。ロープディスクの回転数を２回転よりも幾分少なく制限することは、この場合ドラグディスク原理の使用によって生ぜしめられる。一方のドラグディスクはこの場合ロープディスクによって形成される。このロープディスクが連行体を有していて、この連行体はほぼ１回転後に、回動可能なアームに当接し、このアームが第２のドラグディスクを形成していて、ストッパ突起でケーシング角縁に当接できる。この場合、靴を閉鎖するために長いロープ移動距離が必要な場合であっても、僅かな構成寸法が目標とされている。
この公知の装置では、ロープディスクの直径が、ロープ移動距離と、この場合可能な完全には２回転に満たないロープディスクの回転とに相応して選択されなければならない。従ってロープ移動距離が長い場合には、ロープディスクの直径も相応して大きく選択されなければならない。この公知の装置では、従って装置の寸法の設計の選択の自由が、著しく制限されてしまう。
さらに、付加的なドラグディスクの使用により、ロープディスクの回転数が高められるならば、巻取り数が高められることにより、比較的長いロープ移動距離がロープディスク上で支配される。このことは、しかしながら、付加的なドラグディスクの厚さに相応する、より大きな構成体積を要求することになる。
本発明の課題は、冒頭で述べた形式の、すなわちロープディスクの回転数制限装置を有するセンタクロージャを改良して、構成体積を増大させることなく、ロープディスクの制限したい回転数を高めることである。
この課題は、請求項１に記載の特徴により解決された。
遊星歯車伝動装置の法則に基づいて形成された、ロープディスクの回転数の制限装置では、伝動装置の変速比の選択並びにストッパの配置によって、ロープディスクの回転数を、外側の寸法とは無関係に、比較的広い範囲、例えば2:1から10:1までの間の比率で選択することが簡単に可能である。従って、例えばロープディスクの歯列の直径を大きくするといった変化、及びこの変化に相応した、例えば自由回転する歯車の直径を小さくするといった変化によって、それぞれの使用目的に適合する減速比を有する、予め設定されたセンタクロージャが製造されうる。この場合、その他の構造上の変化は必要とはならない。
本発明の有利な構成は請求項２以下に記載されている。
第１図は、側方から見た、本発明による靴クロージャの、中心軸線に沿った断面図である。
第２図〜第４図は、不動部分の歯列が大きい直径を有している場合に、それぞれ異なる位置に歯車が位置している、第１図のＩ−Ｉ線に沿った断面図である。
第５図〜第７図は、不動部分の歯列が小さな直径を有している場合に、それぞれ異なる位置に歯車が位置している、第１図のＩ−Ｉ線に沿った断面図である。
第１図には、靴、特にスポーツ靴、レジャー靴、リハビリテーション靴のためのセンタクロージャが、側方から見た横断面図、すなわち中心軸線に沿って断面した図で示されている。このセンタクロージャは、扁平なケーシングカバーとして形成されたケーシング部分１を有していて、このケーシング部分１には、ロープディスク３を収容するための円形の切欠き２が設けられている。ロープディスク３は、このロープディスク３と、外側から操作可能な回転部材33、又は別の操作部材、例えばレバー若しくはレバー機構との間に設けられている伝動装置を介して駆動可能である。
有利には、先行する特許である1992年12月４日のドイツ連邦共和国特許第4240916号明細書に記載されたような伝動装置が使用される。しかしながら本発明による実施例では、このような形式の伝動装置との組み合わせに限定されるものではない。
ロープディスク３と、ケーシング部分１の底部８との間に、扁平でディスク状の中空室40が設けられていて、この中空室40内には、歯列41aを有するピニオン41として形成された、ロープディスク３の軸付加部が突入している。中空室40の、鉛直なケーシング内壁には、環状の歯列42aが、内歯環42の形で設けられている。ピニオン41と、内歯環42の歯列42aとの間に形成された中間室49内に、両伝動装置部分（ピニオン41、内歯環42）に噛合し、これら伝動装置部分と等しいモジュールの歯車43が配置されていて、この歯車43は、ロープディスク３の下面44と、底部８の内側の底面45とによって自由回転するように案内されている。
中空室40内の所定の個所にはストッパ46として、例えば、底部８に一体成形されたピン又は底部８に嵌め込まれたピンが備えられていて、このピンは、歯車43が円運動をする円軌道内に突出していて、歯車43の運動間隙を両回転方向に対して制限する。
このような手段により、ロープディスク３の回転数が、ピニオン41と、内歯環42若しくは歯列42aと、歯車43とから成る伝動装置の変速比及びストッパ46の配置に相応して設定されているか、若しくは算出可能であって、ひいては、与えられた要求に対して適応可能である。ピニオン41及び歯車43のピッチ円直径の選択によって、及び又は歯車43のためのストッパ46によって遮断された円軌道経路の長さに相応して、ロープディスク３の回転数を確定すること、若しくは特定の要求に適応させることが可能である。
ピニオン41若しくは歯車43のピッチ円直径は、それぞれモジュール（例えば「mm」で計測される）と歯数との積に相当する。
ロープディスク３の回転数を制限するための、本発明による伝動装置は、原則的には遊星歯車伝動装置であって、この場合ピニオン41が太陽歯車を形成し、自由回転する歯車43が遊星歯車を形成する。
ロープディスク３の回転数を制限するための、本発明による装置の作用形式は以下のようである：
ピニオン41が第２図に示された位置から反時計回りに回転されると、歯車43は、時計回りに駆動され、反時計回りに円軌道に沿って運動する。
第３図は、ピニオン41が180゜だけ回転された場合の伝動装置の位置を示している。ピニオン41に設けられた、図示された14の歯数と、内歯環42に設けられた歯列42aの56の歯数及び、これにより生じる変速比５
0003557447.tif 000002
に相応して、この場合歯車43は36゜運動した。
ピニオン41がさらに回転される場合に、ちょうど４回転したところで歯車43は、第４図に示したように、ストッパ46に当接する。この場合歯車43は、288゜円軌道に沿って運動した。さらに図示はしていないが、歯車43の運動領域は、例えば第２図から第４図に一点鎖線で示したように、第２のストッパ46′が設けられていることによって簡単に、さらに制限することができる。このために、ケーシング１の底部８に複数の差込み開口部が、互いに種々異なる角度間隔をおいて設けられていてよい。これらの差込み開口部には、ロープディスク３の回転数の所望の制限に応じて、別のピン46′を差し込むことができる。２つのストッパ46,46′の代わりに、遮断したい所望の角度領域にわたって延びている唯１つのストッパが設けられていても良く、又はこのような複数のストッパが取り付けられている。このようにして、ストッパ46、46′等の選択により、ピニオン41と内歯環42と歯車43とから成る伝動装置の寸法を変化させることなしに、ロープディスク３の回転数を、広い範囲で変化させることができる。
第５図から第７図に示した、ロープディスク３の回転数のための制限伝動装置の実施例では、ピニオン41が定置に配置されていて、この場合ピニオン41は例えばケーシング部分１自体の一部であるか、又はケーシング部分１に回転不能に固定されている。歯車43の駆動は、ロープディスク３に設けられた、内歯環42の形の歯列42bを介して行われる。但しこの場合、歯列42bは完全に全周にわたって形成されているのではなく、歯列を備えていない、内側に向かって突出するウエブ47を有した区分48（第６図参照）は、歯車43の経路を制限するためのストッパ46を形成する。
この実施例ではロープディスク３が、回転部材33を介して、第５図に示したように反時計回りに回転されると、歯車43も反時計回りに回転させられると同時に、同じ方向に歯車43の円軌道に沿ってピニオン41を中心として運動する。ロープディスク３を半回転させると、このロープディスク３は第６図に示した位置に達する。この実施例で選択された、歯列42bに設けられた42の歯と、ピニオン41に設けられた14の歯とによる減速比４
0003557447.tif 000003
では、この場合は、ロープディスク３に対する、ピニオン41の相対運動距離はちょうど45゜であり、すなわちロープディスク３の１回転は、90゜の相対運動距離の運動に相当する。
ロープディスク３を３回転させると、このロープディスク３は第７図に示した位置に達する。区分48の大きさは、この場合ロープディスク３の１回転の遮断に相当する。ロープディスク３に対するピニオン41の相対運動距離は、この場合270゜に達する。
本発明により、センタクロージャの構成体積を増大させることなく、ロープディスク３の所望の回転数を例えば、２回転から10回転に調節することができる。このことは、ストッパ46、46′の嵌め込み若しくは設置によって、及び又は、ピニオン41及び、内歯環42の歯列42a若しくは42bの直径の変化、並びにこれら直径の変化への歯車43の適合によって可能とされる。
一方では第２図から第４図に示し、他方では第５図から第７図に示した、本発明の両変化実施例は、不動部分（ケーシング部分１）の歯列42a若しくは可動部分（ロープディスク３）の歯列42bのそれぞれ少なくとも１つの歯溝が閉鎖されているか、又は歯溝が全く形成されていないか、若しくは、完全には歯溝として形成されていないことを特徴とする。
【図１】
0003557447.tif 000004
【図２】
0003557447.tif 000005
【図３】
0003557447.tif 000006
【図４】
0003557447.tif 000007
【図６】
0003557447.tif 000008
【図５】
0003557447.tif 000009
【図７】
0003557447.tif 000010